(57)【特許請求の範囲】
【請求項１】
部揃えされた中紙シート束を表紙シートでくるみ製本する製本装置であって、
中紙シート束と表紙シートとを綴じ合わせる製本部を有する製本径路と、
前記製本部の綴じ位置に表紙シートを給送する表紙給送径路と、
前記綴じ位置に配置され表紙シートを背折りする背折りプレス手段と、
前記表紙給送径路に配置され表紙シートの折り目に折り筋を形成する筋付け手段と、
この筋付け手段を制御する制御手段と、
を備え、
前記筋付け手段は、
前記表紙給送径路中の表紙シートと係合する作動位置と、退避した待機位置との間で移動可能に構成されると共に、この作動位置と待機位置との間で位置移動するシフト手段が設けられ、
前記制御手段は、前記製本部で互いに綴じ合わせる中紙シート束の束厚さと表紙シートの厚さに応じて、表紙シートに折り筋を形成するように前記シフト手段を制御する
ことを特徴とする製本装置。
【請求項２】
前記制御手段は、
前記製本部で互いに綴じ合わせる中紙シート束の束厚さが所定値以下であるとき、
又は前記表紙シートの厚さが所定値以上のとき、
前記筋付け手段で表紙シートに折り筋を形成するように前記シフト手段を制御する
ことを特徴とする請求項１に記載の製本装置。
【請求項３】
前記製本径路には、中紙シート束を前記綴じ位置に向けて給送する束搬送手段が配置され、
前記背折りプレス手段は、
中紙シート束を挟んで表紙シートを背折りする一対のプレス部材で構成され、
この一方のプレス部材のプレス位置は所定の基準位置に設定され、
他方のプレス部材のプレス位置はシート束の厚さに応じて変化するように設定され、
前記筋付け手段は、表紙シートに前記基準位置と一致する折り筋を形成するように
構成されていることを特徴とする請求項１に記載の製本装置。
【請求項４】
前記筋付け手段は、前記表紙給送径路の前記綴じ位置に配置され、
前記制御手段は、表紙シートが綴じ位置に給送セットされた後に前記筋付け手段が表紙シートに折り筋を形成するように前記シフト手段を制御する
ことを特徴とする請求項１に記載の製本装置。
【請求項５】
前記製本径路には、前記綴じ位置の上流側に中紙シート束の背部端面に接着剤を塗布する接着剤塗布手段が配置され、
この接着剤塗布手段は、
接着剤を塗布する塗布部材と、この塗布部材を保持してシート束の一端から他端に移動する塗布ユニットと、
この塗布ユニットを中紙シート束の背部端面に沿って一端から他端に移動する駆動手段と、
で構成され、
前記筋付け手段は、前記塗布ユニットに設けられ、この塗布ユニットが中紙シート束に沿って一端から他端に移動する際に表紙シートに折り筋を形成することを特徴とする請求項１に記載の製本装置。
【請求項６】
前記筋付け手段は外周にナイフエッジを有するローラ部材で構成され、
このローラ部材は、
前記塗布ユニットが中紙シート束に沿って一端から他端に移動する際に表紙シート上を転動するように前記塗布ユニットに取付けられていることを特徴とする請求項５に記載の製本装置。
【請求項７】
前記制御手段は、
中紙シートの端面に接着剤を塗布する前記接着剤塗布手段の塗布動作と同時に、
前記筋付け手段が表紙シートに折り筋を形成するように前記シフト手段を制御する
ことを特徴とする請求項５又は６に記載の製本装置。
【請求項８】
前記製本径路には、前記接着剤塗布手段の上流側に中紙シートを部揃え集積する集積トレイが配置され、
この集積トレイには画像形成装置から送られたシートを順次給送する中紙給送径路が連設されていることを特徴とする請求項５乃至７のいずれか１項に記載の製本装置。
【請求項９】
順次シート上に画像を形成する画像形成手段と、
前記画像形成手段から送られたシートを部揃え集積して製本綴じする製本装置と、
から構成され、
前記製本装置は請求項１乃至７のいずれか１項に記載の構成を備えていることを特徴とする画像形成装置。
【発明の詳細な説明】
【技術分野】
【０００１】
本発明は束状に部揃え集積されたシート束に接着剤を塗布して表紙シートでくるみ製本する製本装置に係わり、表紙シートの背部を整然と折り合わせる背折り機構の改善に関する。
【背景技術】
【０００２】
一般にこの種の製本装置は、プリンタ、印刷機などの画像形成システムの端末装置として、画像形成されたシートをページ順に部揃えし、その端面に接着剤を塗布して表紙シートに綴じ合せる装置として広く使用されている。特に最近は、電子出版などのオンデマンド印刷システムとして、所定の文書類の印刷と同時に、これを表紙シートと綴じ合わせて製本仕上げするシステムが例えば特許文献１、２などで知られている。
【０００３】
このような製本装置において、表紙シートを背折り成形する際に予めこのシートに折り筋を形成することが例えば特許文献３に提案されている。同文献には綴じ位置に表紙シートを給送する表紙給送径路に折り筋を形成するローラを配置し、このローラを表紙シートの一端から他端に移動して折り筋を形成する機構が開示されている。そしてこの折り筋を形成した表紙シートを製本綴じ位置に移送し、シート中央部に背部端面に接着剤を塗布した中紙シート束を接合した状態で表紙シートの背部を折り曲げて製本している。このため表紙シートには中紙シート束の厚さを隔てて２本の折り筋を形成している。
【先行技術文献】
【特許文献】
【０００４】
【特許文献１】特開２００４−２０９８６９号公報
【特許文献２】特開２００５−１０４０６３号公報
【特許文献３】特開２００８−１３２７２８号公報
【発明の概要】
【発明が解決しようとする課題】
【０００５】
上述のように、画像形成されたシート束を表紙シートで綴じ合わせてくるみ製本する装置は、広く知られている。この場合に表紙シートの背折りする折り目に折り筋を形成することも特許文献３などで知られ、この折り筋を形成することによって特別に厚い表紙シートで表装することが可能となる。ところが、表紙シートに綴じ合わせる前に予め折り筋を形成することは、この折り筋が実際の折り目から位置ズレすると製本品位が著しく劣る問題がある。このため折り筋を形成する機構と、表紙シートを綴じ位置に搬送する機構を、例えば低速に駆動して折り位置のズレを少なくする必要があり、この低速駆動を採用すると装置の稼働効率が悪くなる問題を引き起こす。
【０００６】
そこで本発明者は、折り筋機構を作動する処理モードとこの機構を作動させない処理モードを設けることに着目し、折り筋を形成する状態を観察したところ中紙シート束の厚さと表紙シートの厚さが製本品位に関係し、中紙シートの束厚さが薄いほど、表紙シートの厚さが厚いほど背折り仕上げの品位が劣ることを究明するに至った。
【０００７】
これと共に表紙シートに折り筋を形成して中紙シート束に綴じ合わせ場合に折り筋と実際の折り目との位置ズレは、綴じ合わせ位置における表紙シートの位置ズレと、中紙シートの位置ズレと、左右一対の背折りプレス部材の位置ズレが影響し、これらの全てを正しい位置に位置決めすることは困難である。例えば表紙シートと中紙シートが正しく位置決めされても背折りプレス部材のいずれか一方のプレス位置が位置ズレすると背表紙に凹凸、歪曲が生ずる。
【０００８】
そこで本発明者は、表紙シートの折り筋と、中紙シートのセット位置と、左右背折りプレス部材の一方のプレス位置とを一致させることによって上述の位置ズレの問題を解決し得るとの着想に至った。
【０００９】
更に、従来の折り筋機構は綴じ位置に表紙シートを搬送する径路途中に配置し、この機構を独立した駆動機構でシートの一端から他端に移動しているため装置が大型で、その製造コストも高くなる問題がある。
【００１０】
本発明は、中紙シートを表紙シートでくるみ製本する際に、予め設定した綴じ条件を基準に表紙シートに折り筋を形成するか否か選定することによって処理効率の向上を図ることが可能な製本装置の提供をその課題としている。
更に本発明は表紙シートに折り筋を形成する機構を折り位置と位置ズレすることが少なく構造が簡単で安価である製本装置の提供をその課題としている。
【課題を解決するための手段】
【００１１】
上記課題を達成するため本発明は、綴じ位置に表紙シートを給送する表紙給送径路に表紙シートの折り目に折り筋を形成する筋付け手段をシートと係合する作動位置と、退避した待機位置との間で移動可能に配置し、この筋付け手段のシフト手段を互いに綴じ合わせる中紙シート束の束厚さと表紙シートの厚さに応じて折り筋を形成するように制御することを特徴としている。
【００１２】
また、上記シフト手段を互いに綴じ合わせる中紙シート束の束厚さが所定値以下であるとき、又は前記表紙シートの厚さが所定値以上のときには筋付け手段で表紙シートに折り筋を形成するように制御することによって例えば表紙シートとして特に厚いシートを使用するとき、或いは中紙シート束が薄いときには折り筋を形成し、それ以外のときには折り筋を形成しないように制御する。
【００１３】
更に、本発明は綴じ位置に左右一対のプレス部材を配置し、一方のプレス部材のプレス位置は所定の基準位置に設定し、この基準位置に表紙シートに折り筋と中紙シート束の一端を一致させ、他方のプレス部材のプレス位置はシート束の厚さに応じて変化するように設定することを特徴としている。
【００１４】
これによってプレス部材の折り位置と表紙シートに折り筋と中紙シート束の背折り肩部の位置ズレを少なくすることができ、その構造も至って簡単に構成することが出来る。
【００１５】
これと共に、筋付け手段を表紙給送径路の綴じ位置に配置し、表紙シートが綴じ位置に給送セットされた後に折り筋を形成することによって、表紙シートの搬送ムラに関係なく折り筋を正確な位置に施すことが可能となる。
【００１６】
また筋付け手段を接着剤塗布手段の塗布ユニットに設け、このユニットを中紙シート束の背部端面に沿って一端から他端に移動することによって、糊塗布機構で折り筋を形成することが可能で、その構造を至って簡単に構成することが可能である。
【発明の効果】
【００１７】
本発明は、表紙給送径路に表紙シートの折り目に折り筋を形成する筋付け手段をシートと係合する作動位置と、退避した待機位置との間で移動可能に配置し、この筋付け手段のシフト手段を互いに綴じ合わせる中紙シート束の束厚さと表紙シートの厚さに応じて折り筋を形成するように構成したものであるから以下の効果を奏する。
【００１８】
綴じ位置に搬送セットする中紙シート束の束厚さと、表紙シートの厚さに応じて折り筋を形成するか否か選定することが可能となり装置の稼働効率を向上させることが出来る。つまり、通常のシート厚さのときにはて折り筋を形成することなく高速に製本処理し、表紙シートとして特に厚いシートを使用するとき、或いは中紙シートが通常の製本処理と比べて特に薄いときには表紙シートに折り筋を形成することによって製本仕上げの高速処理と製本品位の向上を図ることが出来る。
【図面の簡単な説明】
【００１９】
【図１】本発明の製本装置を備えた画像形成装置の全体構成図。
【図２】図１の装置における製本装置部の拡大説明図。
【図３】図１の装置における接着剤塗布手段の説明図であり、（ａ）は塗布ユニットの構成を、（ｂ）は塗布ユニットの往復動機構を示す。
【図４】本発明に係わる筋付け手段の一態様の説明図。
【図５】（ａ）は図４の筋付け手段の動作状態の説明図であり、（ｂ）は図４の筋付け手段とは異なる態様の説明図。
【図６】図３の接着剤塗布手段によるシート束端面のバラし動作の動作状態を示し、（ａ）は糊容器の移動状態を、（ｂ）はシート束のバラし状態と筋付け手段による折り筋形成状態を示す。
【図７】図３の接着剤塗布手段による接着剤塗動作の動作状態を示し、（ａ）は糊容器の移動状態を、（ｂ）はシート束端面に接着剤を塗布する状態を示す。
【図８】図２の装置における表紙綴じ手段の説明図であり、表紙給送経路を閉じた状態を示す。
【図９】図２の装置における表紙綴じ手段の説明図であり、表紙給送経路を開いた状態を示す。
【図１０】図９の表紙綴じ手段おける背折りプレス部材の背折り状態の説明図。
【図１１】図９の表紙綴じ手段おける背折りプレス部材の背折り状態の説明図であり、（ａ）は背折り動作終了時の状態を、（ｂ）は折ローラで仕上げ折りする動作状態を示す。
【図１２】図２の装置における断裁機構の説明図。
【図１３】図１の画像形成装置及び製本装置の制御部の構成を示すブロック図。
【発明を実施するための形態】
【００２０】
以下図示の好適な実施の形態に基づいて本発明を詳述する。図１は本発明に係わる製本装置Ｂを備えたが画像形成装置（システム装置）Ａを示す。製本装置Ｂは画像形成装置Ａの排紙口１４に連設され、画像形成されたシートを部材揃え集積して表紙シートでくるみ製本した冊子状のシート束をスタッカ７０に収容する。また、図１のシステムは画像形成装置Ａで画像形成したシートを製本装置Ｂで製本処理することなく後処理装置Ｃに送ってステップル綴じなどの後処理を施すように画像形成装置Ａの後方に製本装置Ｂが、その後方に後処理装置Ｃが連設されている。
以下、画像形成装置Ａ、製本装置Ｂの順に説明する。
【００２１】
［画像形成装置］
画像形成装置Ａはコンピュータ、ワードプロセッサなどから転送される一連の文書をシート上に印刷して排紙口１４から搬出する。この印刷手段としてはレーザ、インクジェット、オフセット印刷などの印字手段が採用可能であり、図示のものは静電ドラム上にレーザヘットで潜像形成し、その上にトナー（インク）を静電付着させる画像形成方式を示している。
【００２２】
図１の装置は、静電ドラムなどの印刷ドラム１０と、この印刷ドラム１０にシートを供給する給紙カセット５と、印刷ドラム１０に画像を形成するレーザなどの印刷ヘッド９と、現像器１１と定着器１３とから構成されている。給紙カセット５から所定サイズのシートを給紙経路６に供給し、この給紙経路６にはレジストローラ７が設けられ、シートを印刷ドラム１０に案内するようになっている。この印刷ドラム１０に印刷ヘッド９で静電潜像を形成し、この潜像に現像器１１でトナーインクを付着する。この印刷ドラム上に形成されたトナー像をシート上に転写した後、定着器１３で定着して排紙口１４から排出する。この定着器１３はロール、ベルトなどで構成されシート状に転写されたトナーインクを加熱定着する。このシートは排紙口１４から後続する製本装置Ｂに送られる。
【００２３】
図示１６は反転経路で片面に画像印刷されたシートを表裏反転して再び印刷ドラム１０に導きシートの裏面側に印刷するデュープレックスパスである。また図示２０は画像読取装置であり、原稿シートをセットするプラテン２３と、このプラテンに沿って往復動するスキャニングキャリッジ２１と、このキャリッジで走査した原稿画像を光電変換するＣＣＤなどの光電変換素子２２で構成されている。
【００２４】
また図示２５は原稿供給送置であり、上記プラテン２３に原稿を自動的に供給するため、原稿をセットするトレイと、このトレイから原稿を上記プラテンに案内する搬送経路と、排紙トレイとを備えている。上記画像読取装置２０で読み取った原稿データは上記印刷ヘッド９のデータ記憶部に転送される。一方、このデータ記憶部はコンピュータ、ワードプロセッサなどの外部機器に接続され、この外部機器から原稿データの供給を受ける。
【００２５】
［製本装置］
本発明に係わる製本装置Ｂは、部揃えされた中紙シート束を表紙シートでくるみ製本する装置であり、図２にその全体構成を示す。以下、図２に従ってその構成を説明する。
この製本装置Ｂはケーシング３０内に製本径路３３が配置されている。この製本径路３３に中紙シート（以下「中紙シート」という）を束状に集積して部揃えする集積部４０と、この集積部４０からのシート束に接着糊を塗布する接着剤塗布手段５０と、接着剤を塗布されたシート束に表紙シートを綴じ合わせる製本部Ｆが順次この順に配置されている。
【００２６】
［搬送経路］
各シートの搬送経路について説明すると、上記ケーシング３０内には画像形成装置Ａの排紙口１４に連なる搬入口３１ａを有する搬入経路３１が設けられ、この搬入経路３１から中紙給送経路３２と表紙給送経路３４が経路切換手段３６を介して連結されている。そして中紙給送経路３２は製本経路３３の集積部４０にシートを案内し、表紙給送経路３４は製本経路３３と交差するように配置され、その交差部である製本部Ｆに表紙シートを案内する。この製本部Ｆには後述する表紙綴じ手段６０が配置される。また、表紙給送経路３４には排紙経路３８が連設され、この排紙経路３８から後処理装置Ｃの後処理経路３９（図１に示す）にシートを給送するようになっている。
【００２７】
上述のように構成された搬入経路３１は前記画像形成装置Ａの排紙口１４に連なり、画像形成装置Ａから中紙シートを受入れる。この場合画像形成装置Ａからはコンテンツ情報を印刷された中紙シートと、表紙カバーとして使用するタイトルなどを印刷された表紙シートとが搬出され、中紙シートは中紙給送経路３２に、表紙シートは表紙給送経路３４に送られる。
【００２８】
一方、上記搬入経路３１には図１に示すようにインサータユニット２６が連結してある。このインサータユニット２６は画像形成装置Ａで印刷処理しない表紙シートを、例えば厚紙シート、特殊中紙シートなどを給紙トレイ２６ａに準備し、このトレイから搬入経路３１に供給する。このためインサータユニット２６は１つ若しくは複数段の給紙トレイ２６ａを備え、このトレイ先端には積載されたシートを１枚ずつ分離して給送する給紙手段と、この給紙手段の下流側に給紙経路２７が設けられ、この給紙経路２７は経路切換片２８を介して搬入経路３１に連結している。
【００２９】
また上記搬入経路３１には搬送ローラ３１ｂが、中紙給送経路３２には搬送ローラ３２ａが、製本経路３３には後述するシート束搬送手段４７と束姿勢偏向手段６７と断裁手段６８と排紙ローラ（排紙手段）６９が配置されている。また表紙給送経路３４には搬送ローラ３４ａが、後処理経路３９には搬送ローラ３９ｂがそれぞれ配置され、それぞれ駆動モータに連結されている。
【００３０】
［集積部］
上記集積部４０には、集積トレイ４１が設けられ、このトレイに中紙給送経路３２の排紙口３２ｂから搬出された中紙シートを積載収納する。図２に示すように集積トレイ４１は略々水平姿勢に配置されたトレイ部材で構成され、その上方には正逆転ローラ４２ａと搬入ガイド４２ｂが設けられている。そして排紙口３２ｂからの中紙シートを搬入ガイド４２ｂで集積トレイ上に案内し、正逆転ローラ４２ａで収納する。この正逆転ローラ４２ａは正回転で中紙シートを集積トレイ４１の先端側に移送し、逆回転でトレイ後端に配置された規制部材４３にシート後端を突き当て規制する。また集積トレイ４１には図示しないシートサイド整合手段が設けられトレイ上に収納した中紙シートの両側縁を基準位置に幅寄せ整合する。このような構成で中紙給送経路３２からの中紙シートは集積トレイ上に順次積み上げられ束状に部揃えされる。
【００３１】
［グリップ搬送手段］
前記製本経路３３には上記集積トレイ４１からシートを下流側の塗布位置Ｅに移送するシート束搬送手段（以下「グリップ搬送手段」という）４７が配置されている。このグリップ搬送手段４７は図２に示すように集積トレイ４１に集積したシート束を水平姿勢から鉛直姿勢に偏向し、このシート束を略々鉛直方向に配置された製本経路３３に沿って集積部４０の下流側に配置されている塗布位置Ｅに搬送セットする。このため、集積トレイ４１は集積位置（図２実線）から引き渡し位置（図２破線）に移動し、この引き渡し位置に待機するグリップ搬送手段４７にシート束を引き渡すようになっている。
【００３２】
この為、グリップ搬送手段４７はシート束を把持する一対のクランパ４７ａ、４７ｂと、この両クランパ４７ａ，４７ｂを備えたユニットフレーム（図示せず）から構成されている。そしてこのユニットフレームは装置フレームに軸で回転自在に支持され、装置フレーム側に設けた旋回モータＭＥによって旋回動する。
【００３３】
そして上記クランパ４７ａ、４７ｂは上記ユニットフレームに昇降自在に支持され、図示しない昇降モータによって製本経路内でシート束を上下方向に移送するようになっている。従って、クランパ４７ａ、４７ｂはシート束を把持するグリップ動作をグリップモータ（不図示）によって実行し、グリップしたシート束を上記旋回モータＭＥによって水平姿勢から鉛直姿勢に偏向し、次いでこの鉛直姿勢のシート束を昇降モータ（不図示）によって製本経路３３に沿って下流側の塗布位置Ｅに移送することとなる。
【００３４】
［接着剤塗布手段］
接着剤塗布手段（塗布ユニット）５０は、製本径路３３の塗布位置Ｅに配置され、この塗布位置Ｅは集積部４０と製本部Ｆの間に配置されている。接着剤塗布手段５０は、熱溶融性接着剤を収容する糊容器５１と、この容器内に設けられた塗布部材５４（図示のものは塗布ロール）で構成されている。塗布部材５４はローラに限らず、スポンジパッドなど糊容器５１内の接着剤を含浸して、容器上方に位置するシート束の端面に付着する機能を有する種々の構造が採用可能である。
【００３５】
以下図３（ａ）に示す塗布ユニット５０の構造について説明する。糊容器５１には液剤収容室５１ａと固形剤収容室５１ｂとが備えられ、この液剤収容室５１ａに塗布部材５４が回転可能に軸受け支持されている。この塗布部材５４は、ゴム、スポンジなどの耐熱・多孔性の部材で、回転軸５４ｘを中心に回転可能に構成されている。回転軸５４ｘには駆動モータＭＲが連結され、このモータで回転する。また固形剤収容室５１ｂには固形接着剤が充填され、攪拌歯車５１ｃが回転軸５４ｘに取り付けられている。上記糊容器５１には図示しない加熱手段が内蔵され、容器内の接着剤を所定温度に保持している。図２に示す５１Ｓは温度センサである。
【００３６】
上記塗布部材５４は、容器上方に位置するシート束の下端縁（製本時の背表紙部）Ｓ１に沿って一端から他端に移動し、この移動過程でシート端面に接着剤を塗布する。図示の装置は、糊容器５１をシート端面より短い長さ（寸法）に形成してあり、これに内蔵した塗布部材５４と伴にシート束の下端縁Ｓ１に沿って移動するように装置フレームのガイドレール５２（図３（ｂ）参照）に支持されている。
【００３７】
この他、糊容器５１をシート端面より長い長さ形状に構成し、この容器内を塗布部材（塗布ロール）５４と、これを保持するフレームで可動ユニットを構成し、この可動ユニットがシート束の一端から他端に移動するように構成しても良い。
【００３８】
図示の装置は、塗布部材５４と、これを保持する糊容器５１で塗布ユニットが構成され、シート束の一端から他端に移動する。このため、糊容器５１は図３（ｂ）に示すように装置フレームにガイドレール５２で往復動可能に支持されている。
一方、装置フレームには一対のプーリ５３Ｐと、このプーリを回転駆動する駆動モータＭＳが取付けられ、この一対のプーリ間に取り付けられたタイミングベルト５３に糊容器５１が固定されている。
【００３９】
そこで糊容器５１は、シート束の一端に設定されたホームポジションＨＰと、他端側に設定されたリターン位置ＲＰとの間で駆動モータＭＳによって往復動する。そして各位置は図３（ｂ）に示す位置関係に設定され、リターン位置ＲＰはシート幅のサイズ情報によって設定される。また、装置電源投入時（イニシャル時）にはホームポジションＨＰに設定されている。
【００４０】
上記接着剤塗布手段（塗布ユニット）５０による塗布動作について説明する。図６はホームポジションＨＰからリターンポジションＲＰに移動する往動作を示し、図７はリターンポジションＲＰからホームポジションＨＰに移動する復動作を示す。そして図６の往動作ではシート束の端面をバラけさせる捌き作用を行い、図７の復帰動作でシート束の端面に接着剤を塗布する。
【００４１】
このため、前述のグリップ搬送手段４７で塗布位置Ｅに中紙シート束を搬送セットする際に、塗布部材５４とのギャップＧａを調整する。図６の往動作では塗布部材５４をシート束の下端縁Ｓ１に圧接（Ｇａ＜０）させ、図６（ｂ）に示すようにシート端面をバラけさせる。なお、この塗布ユニット５０の往動作のとき、後述するように表紙シートに折り筋を形成する。
【００４２】
また、上記塗布ユニット５０の復帰動作では、図７（ａ）に示すようにシート束の下端縁Ｓ１と塗布部材５４とのギャップＧａを調整する。このギャップＧａはシート束の下端縁Ｓ１に塗布する接着剤層の厚さとなるためＧａ＞０に設定し、このキャップＧａは予め設定した一定値でも良いが、中紙シート束の束厚さと比例させる。これは、例えば前記集積トレイ４１に束厚さ検出センサを配置し、このトレイに部揃え集積されたシート束の厚さを検知し、その検出値に応じてキャップＧａを設定する。束厚さが厚いときにはＧａを大きく、薄いときにはＧａを小さく設定する。
【００４３】
そして塗布ユニット５０をリターンポジションＲＰからホームポジションＨＰに塗布部材５４を回転させながら移動する。この動作で図７（ｂ）に示すようにシート束の下端縁Ｓ１に所定量の接着剤が塗布される。なおこの復帰動作時には、後述する表紙シートに折り筋を形成する筋付け手段５５は非作動位置に待機させることが好ましいが、往動作と同様に復帰動作時に筋付け手段５５で表紙シートに折り筋を形成するようにしても良い。
【００４４】
［表紙搬送手段］
前述したように搬入経路３１に連設された表紙給送経路３４には製本経路３３と直交するように交わり、交差部（以下製本部と云う）Ｆで製本経路３３からのシート束と表紙シートとを逆Ｔ状に接合して綴じ合わせるようになっている。
【００４５】
この表紙給送経路３４は図８に示すように上下に所定間隔で対向する上部搬送ガイド６３ａ，６３ｂと下部搬送ガイド６３ｄでシートパスが形成されている。そして上部搬送ガイド６３ａ，６３ｂは製本経路３３との交差部（製本部）Ｆを境に同図右側の第１上部搬送ガイド６３ａと左側の第２上部搬送ガイド６３ｂに区割され左右の搬送ガイド６３ａ，６３ｂが個別に開閉動するようになっている。図８は上部搬送ガイド６３ａ，６３ｂが閉じられた状態を、図９は開放された状態を示す。
【００４６】
従って、表紙給送経路３４の製本部Ｆ（その上流側と下流側）は開閉自在の上部搬送ガイド６３ａ，６３ｂで構成され、この搬送ガイドが図８に示す閉（クローズ）状態のとき表紙シートを製本部Ｆに搬送セットし、その後は搬送ガイドが図９に示す開（オープン）状態となり、製本部Ｆにセットされた表紙シートに中紙シート束を綴じ合わせる。このため上部搬送ガイド６３ａ，６３ｂとこれに取付けられた従動ローラ６３ｃは、駆動ローラ６３ｅに圧接する位置（図８の状態）と上方に浮上して離間する位置（図９の状態）との間で、移動可能にカムレバー（不図示）などで装置フレームに取り付けられ、このカムレバーには駆動モータが設けられている。
【００４７】
また、上記表紙給送経路３４には、表紙シートを搬送方向と搬送直交方向でそれぞれ位置合わせするレジスト手段（不図示）と、このレジスト手段で位置合わせした表紙シートを製本部Ｆに移送する表紙搬送手段６５が配置されている。この表紙搬送手段６５は表紙給送経路３４に配置された搬送ローラ対で構成され、下部搬送ガイド６３ｄに取り付けられた駆動ローラ６３ｅと上部搬送ガイド６３ａ，６３ｂに取り付けられた従動ローラ６３ｃとから構成されている。駆動ローラ６３ｅには駆動モータＭＴが連結してある。
【００４８】
［表紙綴じ手段の構成］
上記製本部Ｆには、表紙綴じ手段６０が設けられ、製本経路３３からのシート束と表紙給送経路３４からの表紙シートとを逆Ｔ字状に接合し、その背部（背表紙部）をプレス成形する。このため製本部Ｆには、図８、図９に示す背当プレート部材６１と背折プレス部材６２ａ、６２ｂから成る表紙綴じ手段６０が配置してある。
【００４９】
背当プレート部材６１は製本経路３３に進入した作動位置（図８実線）と経路外に退避した退避位置（不図示）との間で進退自在に設けられている。この背当プレート部材６１は作動位置で表紙給送経路３４に静止セットしている表紙シートをバックアップ支持し、製本経路３３から前記グリップ搬送手段４７で移送されるシート束と表紙シートとを逆Ｔ字状に接合する。また背当プレート部材６１は退避位置で製本経路３３を開放し、この製本経路３３から退避することによって下流側に位置する折ロール６４に向けてグリップ搬送手段４７がシート束を搬出する。
【００５０】
従って背当プレート部材６１は製本経路３３を直交方向に横切るように移動自在に装置フレームに支持され、図示しない駆動手段（電磁ソレノイド、モータなど）に連結されている。
【００５１】
［背折りプレス手段の構成］
背折プレス手段は、図８に示すように左右一対の背折プレス部材６２ａ、６２ｂと、この各プレス部材６２ａ，６２ｂをプレス位置と離間位置の間で往復動するシフトモータＭ３ａ、Ｍ３ｂで構成されている。
【００５２】
上記右プレス部材６２ａと左プレス部材６２ｂとは装置フレーム（図示せず）に摺動自在に支持され、その先端部にプレス片６２ｃが設けられ、左右のプレス片６２ｃで表紙シートの背部を折り曲げる。
【００５３】
この為左右一対の背折プレス部材６２ａ、６２ｂには図８に示すラック歯車６６ａが一体に設けられ、このラック歯車６６ａにシフトモータＭ３ａとＭ３ｂに連結されたピニオン６６ｂが歯合されている。このシフトモータＭ３ａ、Ｍ３ｂはステッピングモータで構成されている。従ってシフトモータＭ３ａ、Ｍ３ｂを正逆転すると左右の背折プレス部材は互いに離間した待機位置と、互いに圧接したプレス位置との間で移動する。
【００５４】
［筋付け手段の構成］
そこで本発明は、上述の表紙給送経路３４に表紙シートの折り目に折り筋を形成する筋付け手段５５を以下のように配置したことを特徴としている。この筋付け手段５５は表紙給送経路３４の製本部Ｆか或いはその上流側に配置する。そして製本部Ｆに搬送セットされた表紙シートにそのセット位置で折り筋を形成するか、若しくはセット位置の上流で製本部Ｆに搬送セットする表紙シートに折り筋を形成する。
【００５５】
図４には筋付け手段５５を製本部Ｆに配置し、この位置に搬送セットされた表紙シートに折り筋を形成する場合を示す。筋付け手段５５は、ナイフエッジを有する平板形状或いは円板形状の筋付け部材５５ａで構成し、ナイフエッジで表紙シートを押圧して筋付ける。図示のものは外周にナイフエッジを有する筋付けローラで構成している関係で以下筋付け部材を筋付けローラ５５ａと云う。
【００５６】
図４（ａ）に示すように筋付けローラ５５ａは、前述の塗布ユニット５０に取り付け、塗布ユニットが中紙シート束の一端から他端に移動する往復動作と一体に移動するようにしている。これは表紙シートの幅方向に一端から他端に移動して筋付けする筋付けローラを特別な機構を独立して準備する必要がない。
【００５７】
その構造は図４に示すように糊容器５１の側壁５１ｆにブラケット（ユニットフレーム）５６を設け、このブラケットに筋付けローラ５５ａを軸５６ｘで軸支持してある。図４Ｂにその側面構造を示すが糊容器５１の側壁５１ｆにブラケット５６が固定してあり、このブラケット５６に軸５６ｘで揺動アーム５７が軸支されている。そしてこの揺動アーム５７の先端に筋付けローラ５５ａが軸支持されている。この軸支持は筋付けローラ５５ａが糊容器５１の移動で従動回転するように遊嵌支持されている。
【００５８】
上記揺動アーム５７には、付勢スプリング５８Ｓと作動ソレノイド５８Ｌが連結してある。付勢スプリング５８Ｓは揺動アーム５７に取付けた筋付けローラ５５ａが製本部Ｆにセットされた表紙シートから退避した待機位置Ｗｐ（図５実線状態）に保持する。作動ソレノイド５８Ｌは筋付けローラ５５ａを待機位置Ｗｐから表紙シートと係合する作動位置Ａｐ（図５破線状態）に移動する。従って筋付けローラ５５ａを表紙シートから退避した待機位置Ｗｐと作動位置Ａｐとの間で位置移動するシフト手段を作動ソレノイド５８Ｌ（モータであっても良い）が構成している。
【００５９】
以上筋付け手段５５を塗布ユニット５０に取り付ける場合を示したが、塗布ユニット５０をスライド可能に支持する前述のガイドレール５２に、塗布ユニット５０とは分離して筋付け手段５５を取り付けても良い。この実施形態を図５（ｂ）に示し、同一構造は同一符合を付して説明を省略する。前述の図５（ａ）と同様に筋付けローラ５５ａをブラケット５６に取り付ける。そしてこのブラケット５６をスリーブ５６Ｓでガイドレール５２に摺動可能に嵌合支持する。そしてこのブラケット５６を一対のプーリ間に張設したタイミングベルト５３に固定する。これによって前述の駆動モータＭＳで往復動するタイミングベルト５３で塗布ユニット５０と同様に筋付けローラ５５ａを所定ストロークで往復動することができ、筋付け手段５５を塗布ユニットに装備する形態と同一の動作と作用を得ることが出来る。
【００６０】
上述のように構成された筋付けローラ５５ａは、表紙シートの折り目に折り筋を形成するが、その筋位置と製本部Ｆの綴じ位置（セット位置）Ｆｐとの関係を図４に従って説明する。製本部Ｆの綴じ位置（セット位置）Ｆｐには中紙シート束と表紙シートが搬送セットされる。中紙シート束は製本径路３３から、表紙シートはこれと直交する表紙給送経路３４から搬送セットされる。この両シートは前述の背当てプレート部材６１上で互い逆Ｔ事情に接合される。そして左右一対の背折プレス部材６２ａ、６２ｂで背折り成形される。
【００６１】
このような製本動作の中で筋付け手段５５は、背折り成形の前に背折り肩部に折り筋Ｑを形成する。このとき（１）筋付け手段５５による折り筋Ｑの位置ズレと、（２）中紙シート束のセット位置ズレと、（３）背折りプレス部材のプレス位置ズレのいずれか１つが発生しても製本品位に影響を及ぼす。
【００６２】
そこで図４及び図５の実施形態では、上記（１）の要因を、綴じ位置Ｆｐに搬送セットされた表紙シートに筋付け手段５５で折り筋Ｑを形成することによって表紙シートの搬送斑によって折り筋Ｑに位置ズレが生ずるのを防止している。これと共に上記（２）及び（３）の要因を次の方法によってそれぞれ位置ズレを防止している。
【００６３】
図４に示すように基準位置ｘ−ｘを、製本経路中を移動するシート束の片側端縁（図示のものは左端縁）に設定し、この基準ｘ−ｘに筋付け手段５５による折り筋Ｑを一致させることによって上記（１）の要因を防止している。また基準ｘ−ｘに中紙シート束のセット基準を一致させることによって上記（２）の要因を防止している。更に基準ｘ−ｘに背折プレス部材６２ａ、６２ｂのプレス位置を一致させることによって上記（３）の要因を防止している。
【００６４】
つまり、図４に示すように前記筋付けローラ５５ａは基準ｘ−ｘと一致する塗布ユニット５０（図４の形態）、又はガイドレール５２（図５の形態）の位置に取り付ける。また中紙シート束を搬送セットするグリップ搬送手段４７のセット位置を設定する。図２の装置ではグリップ搬送手段４７を構成するグリップ部材４７ｂ（図示のものは左側グリップ部材）をシート束厚さに関係なく一定のグリップ位置に設定し、右側グリップ部材４７ａをシート束厚さｔに応じて薄い束厚さｔ１のときには破線位置、厚い束厚さｔ２のときには実線位置のように束厚さに応じてグリップ位置を変化させる。これによって上記（２）の要因が生じないようにしている。
【００６５】
また、左右一対の背折プレス部材６２ａ、６２ｂの一方である左側背折りプレス部材６２ｂを中紙シート束の厚さに関係なく一定のプレス位置に設定し、右側背折りプレス部材６２ａのプレス位置をシート束厚さｔに応じて薄い束厚さｔ１のときには破線位置、厚い束厚さｔ２のときには実線位置のように束厚さに応じてプレス位置を変化させる。これによって上記（３）の要因が生じないようにしている。
【００６６】
そして、筋付け手段５５による折り筋Ｑは、基準位置ｘ−ｘと一致する位置に１本形成するか、或いはこの基準位置ｘ−ｘに１本の折り筋Ｑ１を形成し、これから中紙シート束厚さｔだけ離れた位置に折り筋Ｑ２を形成する。
なお、この場合に２本の折り筋Ｑを形成する際は、セット位置に搬送セットする表紙シートを第１の折り筋Ｑ１を形成した後に、シートをセット位置からオーバランさせて第２の折り筋Ｑ２を形成し、その後スイッチバックさせて基準位置ｘ−ｘにセットする。
【００６７】
［束姿勢偏向手段の構成］
前述の表紙綴じ手段６０の下流側には図２に示すように折ロール６４が配置され、くるみ製本したシート束を折ロール６４で仕上げ折りする。この折ロール６４の下流側にはシート束の天地方向を偏向する束姿勢偏向手段６７と、シート束の周縁を断裁する断裁手段６８が配置してある。上記束姿勢偏向手段６７は製本部Ｆから表装されたシート束を所定方向（姿勢）に偏向するのと同時に下流側の断裁手段６８にシート束を移送する。従ってこの束姿勢偏向手段（図示のものはターンテーブル機構）６７はシート束を天地方向に姿勢偏向する機能とこの姿勢偏向したシート束を下流側の断裁位置に給送するシート束搬送手段を構成している。また断裁手段６８はシート束の周縁を切り揃える。
【００６８】
［断裁手段の構成］
上記断裁手段６８は図２に示すようにシート束の断裁縁を刃受部材６８ａに押圧支持する断裁縁プレス部材６８ｂと、切断刃ユニット６８ｃで構成されている。上記断裁縁プレス部材６８ｂは製本経路３３に配置した刃受部材６８ａと対向する位置に配置され、図示しない駆動手段によってシート束と直交する方向に移動する加圧部材（加圧手段）から構成されている。上記切断刃ユニット６８ｃは平刃状の切断刃６８ｘと、これを駆動するカッタモータ（駆動手段）ＭＣとから構成されている。このような構成の断裁手段６８により、冊子状に製本処理されたシート束の背部を除く周縁を所定量裁断して切り揃える。
【００６９】
上記切断刃６８ｘは平刃形状の刃先でシート幅より長い刃幅に構成され、刃受部材６８ａから間隔を隔てたホームポジションと、刃受部材６８ａに当接する切断位置との間で往復動自在に支持され、カッタモータ（駆動手段）ＭＣに連結されている。上記断裁手段６８の下流側には排紙ローラ６９とスタッカ７０が配置され、製本経路３３からのシート束を収納するようになっている（図１参照）。
【００７０】
［制御手段の構成］
上述の製本装置Ｂを制御する制御手段の構成について図１３のブロック図に従って説明する。図１に示すような画像形成装置Ａと製本装置Ｂとを連結したシステムでは、例えば画像形成装置Ａの制御部にコントロールパネル８１と、モード設定手段８２を設ける。そして画像形成装置Ａの制御ＣＰＵ７９はコントロールパネル８１で設定された「印刷処理モード」「製本処理モード」のモード選択信号を製本装置Ｂにコマンド転送する。
【００７１】
このとき「製本処理モード」が選定されたときには、例えばオペレータに表紙シートの厚さ情報をコントロールパネル８１から入力するように促す。或いは表紙シートの給紙カセットからこれに収納されているシートの厚さ情報を知得する。このように本発明は表紙シートの厚さ情報を画像形成装置Ａのコントロールパネル８１或いは、製本装置Ｂに設けたコントロールパネルから入力するように構成する。
【００７２】
オペレータによって製本モードが選択されると画像形成装置Ａの制御手段（制御ＣＰＵ）７９は製本モードの指示信号と表紙シートの厚さ情報（製本装置に表紙厚さ入力手段を備える場合には異なる）と、中紙シートのサイズ情報を製本装置Ｂに転送する。
なおこの場合にコントロールパネル８１から表紙シートの坪量などの厚さ情報と、材質例えば剛い紙質であるか柔らかい紙質であるかなどの材質情報を入力するように構成しても良い。
【００７３】
一方、製本装置Ｂには次の制御ＣＰＵ８０が備えられている。この制御ＣＰＵ８０は、搬入経路３１の搬送ローラ３１ｂの駆動モータと中紙給送経路３２の搬送ローラ３２ａの駆動モータＭＯ１（図示せず）と、表紙給送経路３４の搬送ローラ３４ａの駆動モータＭＯ２（図示せず）など搬送系ドライバ回路が接続されている。同様に前記集積トレイ４１を昇降するトレイ昇降モータＭＯ３、グリップ搬送手段（シート束搬送手段）４７のグリップモータ及び昇降モータ、シフトモータＭ３ａ、Ｍ３ｂの駆動回路に接続されている。この昇降モータ、シフトモータＭ３ａ、Ｍ３ｂはいずれもステッピングモータで構成され、制御ＣＰＵ８０からのコマンド信号で歩進ステップ数、速度などが指示される。つまり各モータの電源パルス発生器にパルス電源のパルス数、デューティ、駆動開始タイミング及び駆動終了タイミングなどのコマンド信号を制御ＣＰＵ８０から発するように結線されている。
【００７４】
一方制御ＣＰＵ８０には前記シート束厚さ検出手段からの検知信号、前記グリップセンサＳｇ、糊容器５１のホームポジションセンサＳＰ、背折プレス部材６２ａ、６２ｂのホームポジションセンサＳｂ１、Ｓｂ２の検知信号が伝達されるように結線されている。そして制御ＣＰＵ８０には、製本処理動作を実行する制御プログラムの記憶手段（ＲＯＭ）８４と、制御データの記憶手段（ＲＡＭ）８５が設けられている。
【００７５】
［製本動作の説明］
以下、図８〜図１１に従って図２で説明した製本装置Ｂによる製本動作を説明する。図７の状態で前述の集積トレイ４１には画像形成装置Ａから中紙シートが中紙給送経路３２を経て搬送される（図２参照）。この中紙シートの部揃え集積が終了した段階で、前記グリップ搬送手段４７は中紙シート束を塗布位置Ｅに搬送セットする。
【００７６】
このとき表紙給送経路３４は上部搬送ガイド６３ａ，６３ｂが図８の閉状態（クローズ位置）に設定され、表紙シートは表紙給送径路３４を上流側の搬入径路３１から綴じ位置Ｆｐに搬送セットする。この表紙シートの搬送セット位置は前述した基準位置ｘ−ｘと一致するように設定されている。従って図８の状態で中紙シート束は塗布位置Ｅに搬送セットされ、表紙シートは綴じ位置Ｆｐに搬送セットされ、両シートはいずれも基準位置ｘ−ｘと一致するようにセットされる。
【００７７】
次に制御ＣＰＵ８０は図９の状態に、上部搬送ガイド６３ａ，６３ｂを開状態（オープン位置）に移動する。この移動は図示しないカムレバーの駆動モータで行われる。この状態で、制御ＣＰＵ８０は、表紙シートの厚さ情報と中紙シート束の束厚さ情報で、綴じ位置Ｆｐにセットされた表紙シートに折り筋Ｑを形成するか否か判別する。この表紙シートの厚さ情報は画像形成装置Ａ或いは製本装置Ｂに準備されたコントロールパネル８１からオペレータが入力した情報で知得する。また、中紙シート束の束厚さ情報は、例えば集積トレイ４１に配置された束厚さ検出センサからの情報で知得する。
【００７８】
なお、この場合中紙シート束の束厚さ情報は前述のグリップ搬送手段４７のグリップセンサＳｇから知得しても、或いは中紙シート束の枚数を中紙給送経路３２に配置したセンサとカウンタで検知し、シート枚数に標準的な紙厚さ（枚数×紙厚さ）から算出しても、いずれであっても良い。
【００７９】
そして制御ＣＰＵ８０は、例えば表紙シートの坪量が２５０グラム以上のとき、中紙シート束の厚さが３０枚（坪量５０グラムのとき）以下のときには筋付け手段５５を待機位置Ｗｐから作動位置Ａｐに移動して表紙シートに折り筋Ｑを形成する。つまり制御データ記憶手段（ＲＡＭ）８５には、予め表紙シートの筋付け基準値が、表紙シートの坪量と中紙シート束の厚さとして設定されている。制御ＣＰＵ８０はこの基準値と画像形成装置Ａから送られた表紙シートの厚さ情報と中紙シート束の厚さ情報とを比較して折り筋Ｑを形成するか否か判別する。
【００８０】
上記折り筋判別に従って制御ＣＰＵ８０は、図９の状態で、中紙シート束の背綴じ端面Ｓ１に接着剤を塗布する。制御ＣＰＵ８０はこの接着剤塗布と前後して、或いは同時に表紙シートに折り筋Ｑを形成する。
【００８１】
この接着剤塗布と折り筋を形成の動作を図６と図７に示す。図６は塗布ユニット５０をホームポジションＨＰからリターンポジションＲＰに移動する往動作を示し、このときグリップ搬送手段４７は、シート端面Ｓ１と塗布部材５４とを圧接した状態（Ｇａ＜０）にセットする。するとローラ表面がシート束端縁を図６（ｂ）に示すようにバラして捌く動作を実行する。この塗布ユニット５０の往動作（捌き動作）のとき、制御ＣＰＵ８０はシフト手段（作動ソレノイド）５８Ｌを作動する。この作動ソレノイド５８Ｌへの通電で筋付け手段５５は待機位置Ｗｐから作動位置Ａｐに移動し、表紙シートと係合する。そこで塗布ユニット５０をホームポジションＨＰからリターンポジションＲＰに移動すると、表紙シートには図６（ｃ）に示すような折り筋Ｑが形成される。
【００８２】
次に制御ＣＰＵ８０は塗布ユニット５０をリターンポジションＲＰからホームポジションＨＰに復帰移動させる。このときには図７に示すようにシート端面Ｓ１と塗布部材５４の間に所定の塗布キャップ（Ｇａ＞０）を形成するようにグリップ搬送手段４７を制御し、同時にシフト手段（作動ソレノイド）５８Ｌを非作動状態に戻す。すると筋付け手段５５は表紙シートから退避した待機位置Ｗｐに復帰する。この状態で塗布ユニット５０を復帰移動する。この動作でシート束の端面には所定量の接着剤が塗布される。
【００８３】
次に制御ＣＰＵ８０は背折プレス部材６２ａ、６２ｂを図１０の状態に互いに離間した待機位置（図示位置）に待機させ、グリップ搬送手段４７で綴じ端面に接着剤を塗布した中紙シート束を綴じ位置Ｆｐに移送する。このとき表紙シートには折り筋Ｑが形成され、背当プレート部材６１にバックアップ支持されている。
【００８４】
そして制御ＣＰＵ８０は背折プレス部材６２ａ、６２ｂを図１１（ａ）の状態にプレス位置に移動する。このとき一方の左背折プレス部材６２ｂのプレス位置は図４で説明した基準位置ｘ−ｘに一致するように設定されている。そして表紙シートは予め設定されている折り筋Ｑに沿って背折り成形される。この背折り成形の後、制御ＣＰＵ８０は所定の接着剤冷却時間を待って、背当プレート部材６１を経路外に退避させ下流側の折ロール６４で仕上げ折りする（図１１（ｂ）参照）。
【符号の説明】
【００８５】
Ａ          画像形成装置
Ｂ          製本装置
Ｅ          塗布位置
３１        搬入経路
３１ａ      搬入口
３２        中紙給送経路
３３        製本経路
３４        表紙給送経路
４１        集積トレイ
４７        シート束搬送手段（グリップ搬送手段）
４７ａ      クランパ
４７ｂ      クランパ
５０        接着剤塗布手段
５１        糊容器
５２        ガイドレール
５３        タイミングベルト
５４        塗布ロール
５５        筋付け手段
５５ａ      筋付け部材（筋付けローラ）
５６        ブラケット（ユニットフレーム）
５６ｘ      軸
５６Ｓ      スリーブ
５７        揺動アーム
５８Ｓ      付勢スプリング
５８Ｌ      作動ソレノイド（シフト手段）
６０        表紙綴じ手段
６１        背当プレート部材
６２ａ      背折プレス部材
６２ｂ      背折プレス部材
６３ａ      第１上部搬送ガイド
６３ｂ      第２上部搬送ガイド
６５        表紙搬送手段
６６        シフト手段
６７        束姿勢偏向手段
６８        断裁手段
６９        排紙ローラ
【図１】
0005470162.tif 000002
【図２】
0005470162.tif 000003
【図３】
0005470162.tif 000004
【図４】
0005470162.tif 000005
【図５】
0005470162.tif 000006
【図６】
0005470162.tif 000007
【図７】
0005470162.tif 000008
【図８】
0005470162.tif 000009
【図９】
0005470162.tif 000010
【図１０】
0005470162.tif 000011
【図１１】
0005470162.tif 000012
【図１２】
0005470162.tif 000013
【図１３】
0005470162.tif 000014